(57)【要約】【課題】  電柱の上部の腕金に取り付けられる鳥害防止具等は器具固定金具に設置される。この器具固定金具の取り付け作業は充電部の近くで行う作業としては複雑で、そのため作業者が感電する危険があり、厳重な防具類の取り付けを行うか、事前に区間停電させて取り付け作業を行う必要があった。【解決手段】  電柱の腕金の上面に載設する鳥害防止具等の器具固定金具１であって、２枚の相面した側板１２、１３を具備したコ形状からなり、前記コ形状の内面底部を前記腕金の上面に載設して、一方の側板１２に器具固定金具用腕金１０を設置し、他方の側板１３に保持金具１１を設置し、前記両側板にボルト挿入孔１７、１８を設け、該ボルト挿入孔にボルト１４を挿入してナット１５で締めることで、容易に前記腕金に固定することができるようにしたことを特徴とする。【選択図】図２
2005287144.tif 000002
【特許請求の範囲】
【請求項１】
電柱の腕金の上面に載設する器具固定金具であって、２枚の相面した側板を具備したコ形状からなり、前記コ形状の内面底部に前記腕金の上面を載設して、一方の側板に器具固定金具用腕金を設置し、他方の側板に保持金具を設置し、前記両側板にボルト挿入孔を設け、該ボルト挿入孔にボルトを挿入してナットで締めることで、前記腕金に器具固定金具を固定することができるようにしたことを特徴とする電柱腕金用の器具固定金具。
【請求項２】
前記器具固定金具用腕金を角型とし、器具止め孔を設け、該器具止め孔に鳥害防止具等の器具を取り付けることができるようにしたことを特徴とする請求項１に記載の電柱腕金用の器具固定金具。
【請求項３】
絶縁ヤットコで前記保持金具を掴み、前記器具固定金具を容易に保持できるように前記保持金具を円筒形状にしたことを特徴とする請求項１に記載の電柱腕金用の器具固定金具。
【請求項４】
前記ボルトは根角ボルトとし、前記ナットにワッシャを接合し前記ナットにネジの無いガイド部を設けたことを特徴とする請求項１に記載の電柱腕金用の器具固定金具。
【発明の詳細な説明】
【技術分野】
【０００１】
本発明は、電柱の上部に取り付けられた腕金の上面に鳥類が営巣するのを防止する防止具等を固定する電柱腕金用の器具固定金具に関するものである。
【背景技術】
【０００２】
電柱の上部に取り付けられた腕金の上面に鳥類が営巣して送電線や配電線の短絡事故や地絡事故を起こしている。これを防止するため、風車型あるいはツリー型の鳥害防止具を取り付けている。
【０００３】
図６は従来から用いられている風車型の鳥害防止具とこれを固定する従来型器具固定金具である。
【０００４】
鳥害防止具５を電柱３の上部に取り付けられた腕金２の上面に固定するには、電柱を昇る、もしくは作業車の昇降機に作業者が乗って腕金２付近まで上昇し手作業で行うことになる。
【０００５】
まず腕金２の側面から従来型器具固定金具６の側板に取り付けられたボルト穴９を腕金２の空き穴８にあわせる。ボルト穴９と空き穴８を貫通してボルトを挿入しナットで締めることで従来型器具固定金具６を固定する。
【０００６】
次に風車型の鳥害防止具５を支える主柱７の下部を従来型器具固定金具６取り付ける。
【０００７】
これらの手作業は充電部の近くで行う作業としては複雑で、感電の危険があるため、作業者が高圧ゴム手袋等の保護具を着用するほか、作業範囲を絶縁シート等の防具類で厳重に防護したうえで作業する（活線近接作業）。また、装柱が複雑等の理由により前記方法においても危険な場合は、作業をする電柱の前後に位置する電柱に設置された開閉器により電流をあらかじめ遮断し、該電柱を停電させて作業する（区間停電作業）。この場合、作業をしている電柱をバイパスする仮配線の工事等を行うことになる。
【特許文献１】特開２０００−２８７６０５号公報
【発明の開示】
【発明が解決しようとする課題】
【０００８】
従来の電柱の腕金に取り付けられる鳥害防止具は従来型器具固定金具で固定している。従来型器具固定金具を手作業で腕金に側面から挿入し、腕金の空き穴を利用して固定し、これに鳥害防止具を取り付けている。これらの作業は昇柱もしくは高所作業車を用いて取付対象の場所へ接近した後、手作業で行っている。
【０００９】
これらの作業は充電部の近くで行う作業としては複雑で、作業者が感電する危険があることから、作業者は保護具を着用するほか、作業範囲を防具類で厳重に防護し作業することになる。また、電柱の装柱状況によっては、前記のような手作業が危険でできない場合があり、そのような場合は、事前に区間停電をし、バイパス線の接続工事を行うことになるが、作業が大がかりとなる。また、場合によっては概電柱の停電に対し、地域住民の理解が得られず、工事の中止や工程の変更を行わなければならない場合もある。
【００１０】
また、腕金に従来型器具固定金具を取り付けるには、事前に腕金に開けられている空き穴を利用することになる。そのため、鳥類が営巣するのを防止する位置に、鳥害防止具を自由に設置することができない問題もある。
【課題を解決するための手段】
【００１１】
本発明は上述した諸問題に対応して為されたものであり、電柱の腕金の上面に載設する器具固定金具であって、２枚の相面した側板を具備したコ形状からなり、前記コ形状の内面底部に前記腕金の上面を接地させ載設して、一方の側板に器具固定金具用腕金を設置し、他方の側板に保持金具を設置し、前記両側板にボルト挿入孔を設け、該ボルト挿入孔にボルトを挿入してナットで締めることで、前記腕金に器具固定金具を固定することができるようにしたことを特徴とする。
【００１２】
従って、本発明では器具固定金具を電柱の腕金に容易に２枚の側板をガイドに設置することができ、ボルトとナットで取り付けを行える器具固定金具が実現できる。
【００１３】
また本発明では、器具固定金具用腕金を角型とし、位置を選べるように器具止め孔を設け、鳥害防止具等の器具を取り付けることができるようにしたことを特徴とする。
【００１４】
これにより、鳥害防止具の取り付け位置を選択できることが可能になった。
【００１５】
更に本発明では、絶縁ヤットコで器具固定金具を容易に保持できるように保持金具を円筒形状にしたことを特徴とする。
【００１６】
これにより低い位置から絶縁ヤットコで電柱の腕金に危険な作業や停電をすることなく取り付けが行えるようになった。
【００１７】
更に本発明では、ボルトは根角ボルトとし、ナットにワッシャを接合し前記ナットにネジの無いガイド部を設けたことを特徴とする。
【００１８】
これによりワッシャやナットの落下という事故も防止できる。
【発明の効果】
【００１９】
本発明によれば、器具固定金具を腕金へ取り付ける作業は、絶縁ヤットコとラチェットスパナを装備した絶縁操作棒で行えるようにしたことが特徴である。これらの絶縁操作棒は、遠隔操作ができることから、電柱の下側から作業が安全に行え、安定した体勢で簡単に作業を実施することができる。
【００２０】
そのため、作業をしている電柱の電源を切ることなく、通電中に鳥害防止具を容易に腕金に取り付けることができる。通電中に電柱の腕金に器具固定金具を取り付けることができるため、厳重な防具類の取り付け、区間停電やバイパス配線作業が不要になり、作業時間を大幅に短縮することができる。
【００２１】
また、従来型器具固定金具は腕金の空き穴を利用して取り付けていたが、本発明の器具固定金具は腕金の空き穴を利用しないため、腕金の空いた場所に自由に取り付けることができる。すなわち鳥害防止に適した効果的な場所に設置することができる。
【発明を実施するための最良の形態】
【００２２】
本発明による電柱の腕金に取り付ける鳥害防止具の器具固定金具を図１乃至図５を参照して説明する。
【００２３】
図１は本発明に基づく電柱の腕金に取り付けられた器具固定金具と器具固定金具に取り付けた鳥害防止具の斜視図である。図２は器具固定金具の正面図である。図３は器具固定金具の側板である。図４は器具固定金具を上面からみた図である。図５は本発明の固定器具を固定するためのボルトとナットである。
【００２４】
電柱３の上部にベルト４で固定された腕金２に取り付ける鳥害防止具５の器具固定金具１は器具固定金具用腕金１０、保持金具１１、側板１２と側板１３、ボルト１４、ワッシャ１６付きナット１５から構成されている。
【００２５】
器具固定金具用腕金１０は上面に鳥害防止具５を取り付けるため、上面が水平な角型構造になっている。器具固定金具腕金１０の上面には器具止め孔１９、２０が開けられており、これらの孔は鳥害防止具５等を取り付けるために開けられた孔であり、この孔は鳥害防止具５等の器具に会わせ自由に変えることができる。
【００２６】
保持金具１１は絶縁ヤットコで掴みやすいように円筒型になっている。
【００２７】
側板１２と側板１３は、電柱３の腕金２の上方から腕金２の上面に載せて設置するためにほぼ腕金２の幅に離間して対向して形成され、この２枚の側板１２、１３で上方から腕金を挟み込み腕金２に安定に置くことができる構造になっている。また器具固定金具１の重心は腕金２の水平方向の中心位置より下部になるように製作されているため、器具固定金具の２枚の側板１２、１３は腕金２の側壁下部に突き出すことになる。突き出した両側板１２、１３にはボルト挿入孔１７、１８が開けられており、腕金２に取り付ける際に固定器具１が横転したりしないように安定した状態で腕金２の上面に置くことができる。
【００２８】
ボルト１４は根角ボルトを使用しており、ボルト挿入孔１７は角型であり、この孔にボルト１４を挿入し、ナット１５をボルト１４のボルトネジ部２２に取り付け、ナット１５を回転してもボルト１４が回らないようにしている。また、ボルト１４は絶縁ヤットコを用いて挟んだ状態でナット１５が締められる十分な長さを持っている。
【００２９】
一例を示すとナット１５の長さは３０ｍｍであり、ナット１５に開けられた穴の部分はナットネジ部２３とネジが無いガイド部２４からできており、このガイド部２４の長さは２０ｍｍである。これは絶縁操作棒に装備したラチェットスパナを用いてナット１５を回転させ締める時に、ボルト１４がナット１５のガイド部２４に食い込むために十分な長さと形状とし、ナット１５の落下を防止している。ゆるみ止めのワッシャ１６はナット１５に溶接し落下等を防止して作業性をよくしている。
【００３０】
次に鳥害防止具５を固定する器具固定金具１を電柱３の腕金２に取り付ける手順について説明する。
【００３１】
器具固定金具１に予め鳥害防止具５を取り付ける。
【００３２】
次に、絶縁ヤットコで保持金具１１を挟持して鳥害防止具５を取り付けた器具固定金具１を電柱３上部の腕金２の上方に持ち上げる。そして、器具固定金具１の２枚の側板１２、１３が腕金２を挟み込む形で器具固定金具１を腕金２の上面の所定の場所に設置する。この時、器具固定金具１の２枚の側板１２、１３は腕金２の側壁下部に突き出すことになる。
【００３３】
続いて、この突き出した両側板１２、１３の下部にはボルト挿入孔１７、１８が開けられているので、絶縁ヤットコを用いてボルト１４を掴み、このボルト１４をボルト挿入孔１７、１８に通す。
【００３４】
次に、ラチェットスパナを装備した絶縁操作棒を用いてナット１５をボルトネジ部２２に入れ締める。この際にネジが無いガイド部２４がナット１５に設けられているので、簡単にボルト１４への差し込みが行え、ワッシャ１６はナット１５に溶接し落下等を防止しているので作業性が良くなり、取り付け後のナット１５のゆるみ防止も図れる。
【産業上の利用可能性】
【００３５】
本発明に基づく電柱の腕金に取り付ける器具固定金具は鳥害防止具の固定化以外に携帯電話のアンテナなど電柱の腕金に取り付ける必要がある器具を固定するために利用できる。
【図面の簡単な説明】
【００３６】
【図１】本発明による電柱の腕金に取り付けられた器具固定金具と器具固定金具に取り付けた鳥害防止具を説明する斜視図である。
【図２】本発明による器具固定金具を説明する正面図である。
【図３】本発明による器具固定金具の２つの側板を説明する図である。
【図４】本発明による器具固定金具を説明する上面図である。
【図５】本発明の固定器具を固定するためのボルトとナットを説明する側面一部断面図である。
【図６】従来から用いられている風車型の鳥害防止具とこれを固定する従来の器具固定金具の斜視図である。
【符号の説明】
【００３７】
１      器具固定金具
２      腕金
３      電柱
４      ベルト
５      鳥害防止具
６      従来型器具固定金具
７      主柱
８      空き穴
９      ボルト穴
１０      器具固定金具用腕金
１１      保持金具
１２      側板
１３      側板
１４      ボルト
１５      ナット
１６      ワッシャ
１７      ボルト挿入孔
１８      ボルト挿入孔
１９、２０    器具止め孔
２１      角部
２２      ボルトネジ部
２３      ナットネジ部
２４      ガイド部
【図１】
2005287144.tif 000003
【図２】
2005287144.tif 000004
【図３】
2005287144.tif 000005
【図４】
2005287144.tif 000006
【図５】
2005287144.tif 000007
【図６】
2005287144.tif 000008